(57)【特許請求の範囲】
【請求項１】
ＵＳＢメモリを保持するためのメモリホルダと、前記メモリホルダを着脱可能に担持する担持部を有し当該担持部に対するアクセスを制限するための施錠機構を備えた保管庫とを具備してなり、
前記メモリホルダが、前記担持部に着脱可能に係り合う係合部を有したホルダ本体と、このホルダ本体に設けられ前記ＵＳＢメモリの端子部を装脱可能に保持し得るキャップとを備えたものであるＵＳＢメモリ保管装置。
【請求項２】
前記メモリホルダが、前記ＵＳＢメモリの前記端子部以外の部位を係留しておくための係留具を備えたものである請求項１記載のＵＳＢメモリ保管装置。
【請求項３】
前記キャップが、前記ホルダ本体とは別体をなし、連結リングを介して前記ホルダ本体に連結されたものである請求項１又は２記載のＵＳＢメモリ保管装置。
【請求項４】
前記キャップが、前記ホルダ本体に一体に設けられたものである請求項１又は２記載のＵＳＢメモリ保管装置。
【請求項５】
前記保管庫が、複数の異なった色彩領域を備え、それら各色彩領域に前記ホルダ本体を担持する前記担持部をそれぞれ設けたものであり、
前記各ホルダ本体が、前記各色彩領域に施された色に対応する色彩を施されたものである請求項１、２、３又は４記載のＵＳＢメモリ保管装置。
【請求項６】
前記保管庫が、複数のシリアル番号に関連づけられた複数の前記ホルダ本体を担持する複数の前記担持部を備えたものであり、
前記各ホルダ本体が、前記シリアル番号を記述しておくための標記部を有したものである請求項１、２、３、４又は５記載のＵＳＢメモリ保管装置。
【請求項７】
請求項１、２、３、４、５又は６記載のＵＳＢメモリ保管装置に用いられるメモリホルダであって、
前記キャップが、前記ＵＳＢメモリの端子部を挿入するための挿入穴を備えたものであり、この挿入穴の開口形状が長手方向中央部の幅寸法が前記端子部の長手寸法中央部の幅寸法よりも短く設定された略長方形状をなすものであるメモリホルダ。
【発明の詳細な説明】
【技術分野】
【０００１】
本発明は、ＵＳＢメモリを保持しておくことができる保管庫を具備するメモリ保管装置及び当該メモリ保管装置を構成するメモリホルダに関するものである。
【背景技術】
【０００２】
従来、オフィス等におけるロッカー、書庫の扉キー、机の引き出しキー等は、所轄部門において一括管理することが行われている。この管理は、個々のキーの属性が一見して把握できる状態で、キー管理ケースと称されるような保管庫内に収納することにより行われている。
【０００３】
近年、オフィス等においてはキーのみならず、各ユーザが取り扱う機密情報の漏洩を回避すべく、オフィスの各ユーザが所有するＵＳＢメモリに対しても、上記のキー同様に管理することが求められている。
【０００４】
このような要望に応えるため、例えば、特許文献１に記載されているようなメモリ保管装置が開発されている。この装置は、前記特許文献１の図３に示されるように、ＵＳＢメモリを保持するためのメモリホルダと、前記メモリホルダを着脱可能に担持する鍵穴状の担持部を有し前記担持部から前記メモリホルダを離脱させるのを制限する施錠機構を備えた保管庫とを備えたものである。
【０００５】
ところで、この装置における前記メモリホルダは、前記保管庫の担持部に挿脱可能に装着される鍵状のホルダ本体と、このホルダ本体に取付けられた連結リングとからなるもので、その連結リングを所望のＵＳＢメモリのメモリ本体に設けられたストラップ用の孔等に係合させることによって、前記ＵＳＢメモリを前記保管庫に吊るした状態で保持しておくことができるようになっている。
【０００６】
ところが、メモリ本体におけるストラップ用の孔の位置は様々である。そのため、全てのＵＳＢメモリをバランスのよい姿勢で吊るすことができない。また、上掲の構成のものは、ストラップ用の孔等を有しないＵＳＢメモリには適用できない。結局、好適に保管できるＵＳＢメモリの種類が狭い範囲に制限されてしまうという問題がある。
【先行技術文献】
【特許文献】
【０００７】
【特許文献１】特許第５１７０８６８号公報
【発明の概要】
【発明が解決しようとする課題】
【０００８】
本発明は、多種多様なＵＳＢメモリの保管に適したメモリ保管装置及びメモリホルダを提供することを目的としている。
【課題を解決するための手段】
【０００９】
本発明は、このような目的を達成するために、次のような手段を講じたものである。
【００１０】
すなわち本発明に係るＵＳＢメモリ保管装置は、ＵＳＢメモリを保持するためのメモリホルダと、前記メモリホルダを着脱可能に担持する担持部を有し当該担持部に対するアクセスを制限するための施錠機構を備えた保管庫とを具備してなり、前記メモリホルダが、前記担持部に着脱可能に係り合う係合部を有したホルダ本体と、このホルダ本体に設けられ前記ＵＳＢメモリの端子部を装脱可能に保持し得るキャップとを備えたものであることを特徴とする。
【００１１】
ここで、「ホルダ本体に設けられた」キャップとは、ホルダ本体と一体でも別体でもよい。また、「端子部を挿脱可能に保持し得る」キャップとは、端子部の外周全体を「包持」する態様や、端子部の一部のみを挟むような態様も含まれる概念である。
【００１２】
このようなものであれば、ＵＳＢメモリを整理して安全に保管することができ、しかも、保管庫からＵＳＢメモリとともに取り出したメモリホルダは、ＵＳＢメモリの端子部を保護する本来のキャップとしての機能を代替的に発揮することになるので、ＵＳＢメモリの保管と通常使用との移行を円滑に行うことができる。更にメモリホルダはＵＳＢメモリの殆どのものに共通する構成である端子部に対しキャップを取り付けることによりＵＳＢメモリを保持するので、使用するＵＳＢメモリを選ぶ必要も無く幅広いものに適応させることができる。
【００１３】
そして、メモリホルダの取り扱いをより向上させ得る構成として、当該メモリホルダが、ＵＳＢメモリの端子部以外の部位を係留しておくための係留具を備えた構成を挙げることができる。斯かる係留部を設けておけば、メモリホルダを保管庫から取り出すとともに、そのメモリホルダのキャップからＵＳＢメモリを抜き取って通常の態様（ＰＣに端子部を差す等）で使用する場合に、ＵＳＢメモリから分離されたメモリホルダをそのＵＳＢメモリの付近に留めておくことができる。そのため、メモリホルダの紛失を防止することができる。また、斯かる構成によれば、特定のＵＳＢメモリを、当初対応させたメモリホルダと異なったメモリホルダに誤って装着してしまうというミスの発生を防ぐこともできる。また「係留部」はメモリホルダをそのＵＳＢメモリの付近に留めておくことができるものあればどのような構成のものでもよいが、好適な例としてはストラップ等の紐状のものを挙げることができる。
【００１４】
また、ＵＳＢメモリ以外のものも併せて好適に保管、管理することができる構成として、キャップが、ホルダ本体とは別体をなし、連結リングを介してホルダ本体に連結された構成を挙げることができる。斯かる構成によれば、連結リングを介してキャップ以外の小物類をもホルダ本体に支持させることができる。そのため、例えば、共通の保管庫に複数のメモリホルダを保管することができるようにしたものにおいては、その一部のメモリホルダにキー等を支持させることができ、保管庫にメモリ保管機能に加えて、キー保管機能をも付与することが容易になる。
【００１５】
また他方、メモリホルダをシンプル且つコンパクトなものとして、より取り扱い易いものとするためには、キャップを、ホルダ本体に一体に設けたものとすることが望ましい。
【００１６】
そして、保管庫に複数のメモリホルダを収納していても個々のメモリホルダの属性が一見して把握できるようにして必要なときに所望のメモリホルダを確実に取り出し得るようにするための構成として、保管庫が、複数の異なった色彩領域を備え、それら各色彩領域にホルダ本体を担持する担持部をそれぞれ設けたものであり、各ホルダ本体が、各色彩領域に施された色に対応する色彩を施されたものである構成を挙げることができる。
【００１７】
加えて複数のメモリホルダのうち所望のメモリホルダを容易に保管庫から取り出し得るようにするための他の構成として、保管庫が、複数のシリアル番号に関連づけられた複数のホルダ本体を担持する複数の担持部を備えたものであり、各ホルダ本体が、シリアル番号を記述しておくための標記部を有したものである構成を挙げることができる。
【００１８】
そして、ＵＳＢメモリをキャップから不意に脱落させてしまう不具合を回避しつつ所望のときには速やかにキャップを取り外せるようにする上述したメモリホルダは、キャップが、ＵＳＢメモリの端子部を挿入するための挿入穴を備えたものであり、この挿入穴の開口形状が長手方向中央部の幅寸法が端子部の長手寸法中央部の幅寸法よりも短く設定された略長方形状をなすようにすることが望ましい。
【発明の効果】
【００１９】
本発明によれば、原則として端子部の形態を共通とする全ての種類のＵＳＢメモリを保管することができ、しかも、種々のＵＳＢメモリをそれぞれバランスの良い姿勢で保持しておくことができるメモリ保管装置及びメモリホルダを提供することができる。
【図面の簡単な説明】
【００２０】
【図１】本発明の一実施形態に係る外観図。
【図２】同実施形態に係る他の外観図。
【図３】同実施形態に係る正面図。
【図４】同背面図。
【図５】同分解斜視図。
【図６】同実施形態に係る要部の斜視図。
【図７】同正面図。
【図８】図７に係るＩ−Ｉ線断面図。
【図９】同実施形態に係る要部の断面図。
【図１０】本実施形態の変形例に係る外観図。
【図１１】同変形例に係る正面図。
【図１２】同背面図。
【図１３】同変形例に係る要部の斜視図。
【図１４】同要部の中央横断面図。
【発明を実施するための形態】
【００２１】
以下、本発明の一実施の形態について図面を参照して説明する。
【００２２】
本実施形態に係るＵＳＢメモリ保管装置は、例えばオフィス等において複数のＵＳＢメモリ５を管理するためのものである。
【００２３】
このＵＳＢメモリ保管装置は、図１及び図２に示すように、メモリホルダ２と、このメモリホルダ２を掛けることにより着脱可能に担持する担持部たるハンガー１７を有し、このハンガー１７に対するアクセスを制限するための施錠機構１０を備えた保管庫１とを有したものである。ここで、図１では、本実施形態に係るＵＳＢメモリ保管装置が適用された保管庫１及びメモリホルダ２の概略斜視図が示され、図２には、保管庫１を開いた状態の概略斜視図が示されている。
【００２４】
保管庫１は、前面側をメモリホルダ２の出し入れ口とする本体１１と、この本体１１に連結されて出し入れ口を開閉する蓋体１２と、本体１１及び蓋体１２にそれぞれ配置されたメモリ保持装置と、本体１１に対し蓋体１２が閉止した状態で施錠することにより内部へのアクセスを禁止するための施錠機構１０とを備えて構成されている。なおこの保管庫１は、既存のキーボックスに準じた構成のものを使用可能であり、その場合にはキーボックスとしての機能も兼用させることができる。
【００２５】
本体１１は、前面が出し入れ口として機能するよう開放された箱状をなす本体ケース１１ａと、この本体ケース１１ａ上面に取り付けられた把手１１ｂとを有している。すなわち保管庫１はこの把手１１ｂを掴んで使用者が所要の場所に移動、運搬し得るものである。そして本体１１の内面側には後述するメモリ保持装置１３が配されている。
【００２６】
蓋体１２は、右側の側壁部分に蝶番等を介してヒンジ連結された蓋本体１２ａと、この蓋本体１２ａの左側に設けられた開閉操作のために使用者が把持し得る開閉ハンドル１２ｂとを有している。また、蓋体１２の内面側には、本体１１同様にメモリ保持装置１３が配されている。
【００２７】
施錠機構１０は、本体１１と蓋体１２とに亘って配されて閉蓋時のロックを行うためのものである。本実施形態ではこの施錠機構１０は本体１１と蓋体１２とに亘って組み込まれた図示しないロック部分と、このロック部分による施錠／解錠を操作し得る鍵穴１０ａと操作パネル１０ｂとを有している。この施錠機構１０は例えば、保管庫１毎に設定された図示しないキーを鍵穴１０ａに挿入、回動する操作と操作パネル１０ｂの所定の操作とが併せて行われることにより解錠が可能になる構成を一例として適用している。しかしこの施錠機構１０の具体的な構成については、例えばキーに加えて又はその代わりにカードの挿入によって解錠する態様や、上記した開閉ハンドル１２ｂとの連動の有無も含めて既存の種々の構成を適用し得るために具体的な説明を省略する。
【００２８】
メモリ保持装置１３は、本体１１内及び蓋体１２に配置されたパネル１４と、このパネル１４に中間部材１５（図９）を介して着脱自在に設けられたホルダ取付部材１６とを有している。
【００２９】
パネル１４は、平面形状が略方形をなす板状体により構成されており、その表裏各面が前後に向く姿勢で本体１１内及び蓋体１２に配置される。ここで、パネル１４の面内には、図２及び図９に示されるように、中間部材１５の上下両側に係り合う取付部１４ａが形成されている。
【００３０】
中間部材１５は、図９に示すように、ホルダ取付部材１６の後面上下方向に沿う略縦長長方形の片状をなす部分の上下に設けた係り部分が設けられることにより背面側ではパネル１４に支持されながら前面側ではホルダ取付部材１６に係り合い当該ホルダ取付部材１６をパネル１４に安定して固定する役割を担っている。
【００３１】
ホルダ取付部材１６は、図９に示すように、パネル１４の左右方向に延びる長さを備えているとともに、後面側が略コ字状に開放する断面形状を備えたハンガー１７と、このハンガー１７の上側において色彩ラベル１ｂを挿入し色彩ラベル１ｂを視認可能に表示し得るラベルホルダ１９を有した表示部１８とを具備している。
【００３２】
そして上記色彩ラベル１ｂが取り付けられた表示部１８により、保管庫１内には複数の色彩領域１ａが形成される。すなわち保管庫１が具備しているメモリ保持装置１３は、複数の異なった色彩領域１ａを備え、それら各色彩領域１ａにメモリホルダ２を担持するハンガー１７をそれぞれ設けたものである。加えて保管庫１に設けられたハンガー１７の数は、メモリホルダ２に標記された複数のシリアル番号ＳＮに関連づけられた所定の数となっている。
【００３３】
しかして、上記構成をなした保管庫１と共に本実施形態に係るＵＳＢメモリ保管装置を構成するＵＳＢメモリ５を保持するためのメモリホルダ２は、担持部たるハンガー１７に着脱可能に係り合う係合部２４を有したホルダ本体２０と、このホルダ本体２０に設けられＵＳＢメモリ５の端子部５２を装脱可能に保持し得るキャップ２１とを備えたものであることを特徴とする。
【００３４】
メモリホルダ２は、図１〜図９に示すように、保管庫１側に係り合うホルダ本体２０と、このホルダ本体２０に設けられたキャップ２１と、このキャップ２１をホルダ本体２０に取り付けるための連結リング２３と、ＵＳＢメモリ５とホルダ本体２０とを繋げておくためのストラップ２２とを有している。
【００３５】
またＵＳＢメモリ５は、市販されている既存のものを適宜使用することができる。本実施形態ではこの記憶媒体を内蔵したメモリ本体５１と、このメモリ本体５１の一端側に露出する端子部５２と、メモリ本体５１の他端側においてストラップ２２を装着し得る孔である装着孔５３とを有している態様のものをＵＳＢメモリ５と称している。すなわち本実施形態では「ＵＳＢメモリ５」として市販されている商品のうち、端子部５２を被覆しておくためにメモリ本体５１とは別体に構成されている部分を除いた状態のものをＵＳＢメモリ５と定義している。
【００３６】
以下、メモリホルダ２の構成について、具体的に説明する。
【００３７】
ストラップ２２は、本実施形態ではＵＳＢメモリ５の端子部５２以外の部位を係留しておくための係留具としての役割を担うものである。このストラップ２２自体の構成は既存のものを適用しており、樹脂繊維製のループの一端側に金具を固定したストラップ本体２２ａと、このストラップ本体２２ａに取り付けられた小リング２２ｂとを備えたものである。このストラップ２２の構成は当該構成に限られず、例えばチェーン状の閉ループを主体としたものやループ状をなす可撓性を有した素材のみからなる態様など、種々の態様を適用し得る。また「ストラップ」と称され得ないようなものであっても、ＵＳＢメモリ５の端子部５２以外の部位を係留しておく機能を奏するものであれば、ストラップ２２に代えて用いても良い。
【００３８】
連結リング２３は、ホルダ本体２０とは別体をなすキャップ２１を、ホルダ本体２０に設けるためにこれらホルダ本体２０とキャップ２１とを連結するためのものである。本明細書においては当該連結リング２３を単一管状をなす輪の如く図示しているが勿論、少なくとも一周よりも多く隙間無く巻回した金属線材からなり重複した金属線材間を外力により開いて設けた隙間を利用してホルダ本体２０及びキャップ２１に取り付ける態様のものが適用し易く望ましい。また他にも連結リング２３の態様としては単一管状をなす輪の一部を開閉操作し得るような態様のものでも好適に適用し得る。
【００３９】
ホルダ本体２０は、図示しないが上述した各色彩領域１ａに施された色に対応する色彩を施されたプレート状の樹脂成形品を主体としたものである。このホルダ本体２０は上端付近でハンガー１７に掛け止められるための係合部２４と、正面側にシリアル番号ＳＮを標記するための標記部２５と、背面側で連結リング２３を取り付けるためのリング取付孔２０ａと、背面側で上下に亘って樹脂素材を隆起させて形成した姿勢調整用のリブ２０ｂとを有している。リング取付孔２０ａは、ホルダ本体２０の幅方向に開通するように形成されている。このリング取付孔２０ａは、連結リング２３をホルダ本体２０の幅方向に挿通させた状態で当該連結リング２３を上下に自由に回動させ得るに足る径に設定されている。姿勢調整用のリブ２０ｂは、図９のようにハンガー１７に掛けられたホルダ本体２０の背面側にあるＵＳＢメモリ５や図示しないキーの姿勢を案内するための傾斜面２０ｃが形成されている。当該傾斜面２０ｃにより図９のようなメモリホルダ２を保管庫１に収容し得る状態としたときにホルダ本体２０の背面側が不要に嵩張ることを回避して、ホルダ本体２０がハンガー１７に略垂直に懸吊された状態を維持することができる。これにより複数のハンガー１７に担持されたホルダ本体２０は全て、やや前傾した同じ姿勢となるとともに、ホルダ本体２０に標記されたシリアル番号ＳＮは好適に視認され得る。
【００４０】
係合部２４は、図３〜図５に示すように、ホルダ本体２０の短寸幅方向すなわち左右方向に長い略方形の孔として形成され、当該係合部２４の上部及び下部は、内側に向かって、より具体的には互いの縁部に向かって曲面状に膨出した形状に設けられている。ここで、各縁部間の距離は、ハンガー１７の厚みよりも僅かに大きく設定され、これにより、ハンガー１７が係合部２４に挿入されて、メモリホルダ２のホルダ本体２０の前面が略鉛直面内に位置するように吊り下げられた状態ほとんど揺れやがたつきが起こらず、メモリホルダ２の脱落が起こり難いようになっている。
【００４１】
標記部２５は、前面側で各ＵＳＢメモリ５に割り当てられた各シリアル番号ＳＮを標記するためのものである。この標記部２５は、シリアル番号ＳＮが標記された標記ラベル２５ｂと、この標記ラベル２５ｂを収容するためのラベル収容部２５ａと、このラベル収容部２５ａに着脱可能に収容され標記ラベル２５ｂ視認可能としながら被覆保護するラベルカバー２５ｃとを有している。
【００４２】
ラベル収容部２５ａは、ホルダ本体２０の素材を前面側から凹ませ且つ後方へ貫通することにより形成されたものであり、標記ラベル２５ｂ及びラベルカバー２５ｃの上下端に係り合って保持するための掛止部２５ｆと、この掛止部２５ｆによる標記ラベル２５ｂ及びラベルカバー２５ｃの保持を解除するための解除孔２５ｇとを有している。この掛止部２５ｆは左右両端部分をホルダ本体２０の面方向に沿って上下に凹ませることにより、ラベルカバー２５ｃの形状に対応し当該ラベルカバー２５ｃをより確実に保持し得るようにしている。解除孔２５ｇは、掛止部２５ｆの左右両端部分からホルダ本体２０の背面側へ貫通する上下四箇所に設けられた孔である。すなわちラベル収容部２５ａから標記ラベル２５ｂ及びラベルカバー２５ｃを取り外すときには当該四つ有る解除孔２５ｇのうち何れかの解除孔２５ｇに対しホルダ本体２０の背面側から例えば棒状のもので押し込みラベルカバー２５ｃを正面側へ押し出すようにすれば良い。
【００４３】
標記ラベル２５ｂは、本実施形態ではラベル収容部２５ａがホルダ本体２０の前面に露出している四角形状部分と略同形状に形成された紙片である。この標記ラベル２５ｂには各ＵＳＢに関連づけられたシリアル番号ＳＮが標記されている。また本実施形態では特に当該標記ラベル２５ｂの色彩を限定しないが、勿論種々の色彩を背景色として適用し得ることはいうまでもない。
【００４４】
ラベルカバー２５ｃは、本実施形態では例えば透明のポリエチレンテレフタレート製の、撓み変形可能な短冊状をなすフィルムである。当該ラベルカバー２５ｃは、ラベル収容部２５ａにおけるホルダ本体２０の前面側の面積に対応し、標記ラベル２５ｂを外方から視認可能な状態で被覆する透過板２５ｈと、この透過板２５ｈの上下端且つ左右両端を更に上下に延出させて設けた掛止片２５ｉとを有している。本実施形態では、この掛止片２５ｉがラベル収容部２５ａの掛止部２５ｆに挿入されることでラベル収容部２５ａに安定して保持される。
【００４５】
キャップ２１は、図６〜図９に特に示すように、ホルダ本体２０に添設するように連結リング２３を介して連結されＵＳＢメモリ５の端子部５２を装脱可能に包持するためのものである。このキャップ２１は、ＵＳＢメモリ５の端子部５２を挿入するために下方へ開放するように設けられた挿入穴２６と、上端で連結リング２３に連結されるためのリング孔２７と、正面及び背面に形成されたフラット面２１ａと、両側面を使用者が滑り難く摘み得るための摘み用リブ２１ｂとを備えたものである。挿入穴２６は、その開口形状が長手方向中央部の幅寸法が端子部５２の長手寸法中央部の幅寸法よりも短く設定されることにより、その内面に端子部５２を押圧し得る押圧面２６ａが形成されている。
【００４６】
しかして本実施形態に係るＵＳＢメモリ保管装置は、メモリホルダ２を上述したような構成とすることにより、図９に示すように係合部２４がハンガー１７に掛けられた状態でホルダ本体２０とキャップ２１とが共にハンガー１７から略垂直に垂下しつつ、ホルダ本体２０の標記部２５がパネル１４の面と略平行となるように配される。なお図９は、図２に示されたようなハンガー１７に掛けられたホルダ本体２０に対し、ラベル収容部２５ａの掛止部２５ｆ、解除孔２５ｇの位置で切断した要部の断面図である。このように、保管庫１に保管された何れのメモリホルダ２であっても、図２に示すようにホルダ本体２０の標記部２５はどれも同じ向きに向くため、使用者は各メモリホルダ２に標記されたシリアル番号ＳＮを容易に一覧することができる。特に上述したように、本実施形態ではホルダ本体２０の背面側に姿勢調整用のリブ２０ｂを設け、この姿勢調整用のリブ２０ｂがハンガー１７に掛けられたホルダ本体２０の背面側にあるＵＳＢメモリ５や図示しないキーの姿勢を案内するための傾斜面２０ｃを有している。その結果当該傾斜面２０ｃにより図９のようなメモリホルダ２を保管庫１に収容し得る状態としたときにホルダ本体２０の背面側のＵＳＢメモリ５や図示しないキーの向きがばらついて不要に嵩張ることを回避して、ホルダ本体２０がハンガー１７に略垂直に懸吊された状態を維持することができる。このことも相まって、複数のハンガー１７に担持されたホルダ本体２０は全て同じ姿勢となるとともに、ホルダ本体２０に標記されたシリアル番号ＳＮは好適に視認され得る。
【００４７】
以上のような構成とすることにより、本実施形態に係るＵＳＢメモリ保管装置は、ＵＳＢメモリ５を整理して安全に保管することができ、しかも、保管庫１からＵＳＢメモリ５とともに取り出したメモリホルダ２は、ＵＳＢメモリ５の端子部５２を保護する本来のキャップ２１としての機能を代替的に発揮することになるので、ＵＳＢメモリ５の保管と通常使用との移行を円滑に行うことができ、面倒な作業を伴うことなく便利に使用することを可能としている。更にメモリホルダ２はＵＳＢメモリ５の殆どのものに共通する構成である端子部５２に対しキャップ２１を取り付けることによりＵＳＢメモリ５を保持するので、使用するＵＳＢメモリ５を選ぶ必要が無く幅広いものに適応可能である。
【００４８】
そして、メモリホルダ２の取り扱いをより向上させ得る構成として本実施形態では、当該メモリホルダ２が、ＵＳＢメモリ５の端子部５２以外の部位を係留しておくための係留具としてのストラップ２２を備えた構成を適用している。これにより、メモリホルダ２を保管庫１から取り出すとともに、そのメモリホルダ２のキャップ２１からＵＳＢメモリ５を抜き取って通常の態様（ＰＣに端子部５２を差す等）で使用する場合に、ＵＳＢメモリ５から分離されたメモリホルダ２をそのＵＳＢメモリ５の付近に留めておくことができるので、メモリホルダ２の紛失防止に資する。また加えて、斯かる構成によれば、特定のＵＳＢメモリ５を、当初対応させたメモリホルダ２と異なったメモリホルダ２に誤って装着してしまうというミスの発生をも有効に防いでいる。
【００４９】
また、ＵＳＢメモリ５以外のものも併せて好適に保管、管理することができる構成として本実施形態では、キャップ２１が、ホルダ本体２０とは別体をなし、連結リング２３を介してホルダ本体２０に連結された構成を適用している。これにより、連結リング２３を介してキャップ２１以外の小物類をもホルダ本体２０に支持させることができる。そのため、例えば、共通の保管庫１に複数のメモリホルダ２を保管することができるようにしたものにおいては、その一部のメモリホルダ２にキーのみを支持させることもでき、保管庫１にメモリ保管機能に加えて、キー保管機能をも付与することが容易である。保管庫１の本体１１側（または、蓋体１２側）にＵＳＢメモリ５のみを懸吊させ、蓋体１２側（または、本体１１側）にキーのみを懸吊させるような利用も可能である。
【００５０】
そして、保管庫１に複数のメモリホルダ２を収納していても個々のメモリホルダ２の属性が一見して把握できるようにして必要なときに所望のメモリホルダ２を確実に取り出し得るようにするための構成として本実施形態では、保管庫１が、複数の異なった色彩領域１ａを備え、それら各色彩領域１ａにホルダ本体２０を担持する担持部をそれぞれ設けたものであり、各ホルダ本体２０が、各色彩領域１ａに施された色に対応する色彩を施されたものである構成を適用している。
【００５１】
加えて複数のメモリホルダ２のうち所望のメモリホルダ２を容易に保管庫１から取り出し得るようにするために更に本実施形態では、保管庫１が、複数のシリアル番号ＳＮに関連づけられた複数のホルダ本体２０を担持する複数の担持部を備えたものであり、各ホルダ本体２０が、シリアル番号ＳＮを記述しておくための標記部２５を有したものとしている。
【００５２】
特に本実施形態では、上記色彩領域１ａによる領域の認識とシリアル番号ＳＮによる保管場所の選定を併せて採用することにより、使用者は保管庫１から直感的に所望のメモリホルダ２を取り出すことも正しい位置にメモリホルダ２をしまうことも簡便且つ確実に行い得る。すなわち本実施形態によれば、保管庫１に保管する複数のメモリホルダ２の管理を、正確且つ容易に行なうことができる。
【００５３】
そして、ＵＳＢメモリ５をキャップ２１から不意に脱落させてしまう不具合を回避しつつ所望のときには速やかにキャップ２１を取り外せるようにする本実施形態に係るメモリホルダ２は、キャップ２１が、ＵＳＢメモリ５の端子部５２を挿入するための挿入穴２６を備えたものであり、この挿入穴２６の開口形状が長手方向中央部の幅寸法が端子部５２の長手寸法中央部の幅寸法よりも短く設定された略長方形状をなすようにして押圧面２６ａを形成している。これにより押圧面２６ａが端子部５２を挟圧しながら保持することで、安定したＵＳＢメモリ５の保持を実現している。
【００５４】
＜変形例＞
以下、上記実施形態の変形例について図１０〜図１４に示して説明する。当該変形例において上記実施形態の構成要素に相当するものに対しては同じ符号を付すとともに、その詳細な説明を省略する。上記実施形態では、キャップ２１がホルダ本体２０とは別体をなし、連結リング２３を介してホルダ本体２０に連結されたものであったが、本変形例に係るＵＳＢメモリ保管装置は、上記実施形態同様の保管庫１と、キャップ２１がホルダ本体２０に一体に設けられたメモリホルダ２とを有したものである。
【００５５】
メモリホルダ２は、例えば白等の特定の彩色を呈した樹脂の一体成形品に、上記実施形態と同じ連結リング２３を連結し、この連結リング２３に更に連結した上記実施形態と同じストラップ２２に上記実施形態同様のＵＳＢメモリ５を取り付けたものである。よって、連結リング２３、ストラップ２２及びＵＳＢメモリ５の説明は省略する。
【００５６】
そして、上記一体成形品の上部及び表面が上記実施形態に係るホルダ本体２０を構成し、下部及び内部に上記実施形態に係るキャップ２１を構成している。
【００５７】
ホルダ本体２０は、本変形例では上記実施形態同様のハンガー１７に対応するため上記実施形態と略同じ開口形状をなす係合部２４と、標記部２５とを有している。なお本変形例に係るホルダ本体２０は上述したリング取付孔２０ａ並びに姿勢調整用のリブ２０ｂは備えていない。
【００５８】
キャップ２１は、ＵＳＢメモリ５の端子部５２を挿入するために下方へ開放するように設けられた挿入穴２６と、上端で連結リング２３に連結されるためのリング孔２７とを有している。なお本変形例に係るキャップ２１は上述したフラット面２１ａ並びに摘み用リブ２１ｂは備えていない。
【００５９】
しかして本変形例では、ホルダ本体２０の標記部２５は上記実施形態とは異なり、上述した色彩領域１ａに対応した色彩を背景色として呈しつつ上記実施形態同様のシリアル番号ＳＮが記された標記シール２５ｅと、この標記シール２５ｅに対応する面積を平坦に構成することにより設けたシール貼付面２５ｄとを有している。
【００６０】
すなわち図１１に示すように、標記部２５は、シール貼付面２５ｄに各ＵＳＢメモリ５に割り当てられたシールの色彩２５ｊ及びシリアル番号ＳＮを有した標記シール２５ｅを適宜選択して貼付しておくことにより、保管庫１の色彩領域１ａ並びに所定のハンガー１７の場所に容易に対応させることが可能になる。本変形例のような標記部２５であっても、複数のＵＳＢメモリ５の保管庫１内での好適な一元管理に資する。ホルダ本体２０の係合部２４は上記実施形態のものと同様の形状をなしているので、本変形例に係るメモリホルダ２をハンガー１７に掛けた状態では標記部２５がパネル１４の面と同じ方向に向いた状態で安定するとともにＵＳＢメモリ５がハンガー１７下方に略垂直に懸吊され、好適な視認、収容が実現されていることは言うまでもない。
【００６１】
図１３及び図１４に示すように、キャップ２１の挿入穴２６は、上記実施形態同様、押圧面２６ａを備えている。押圧面２６ａの存在により、挿入穴２６の開口形状が、長手方向中央部の幅寸法が端子部５２の長手寸法中央部の幅寸法よりも短く設定された略長方形状をなす。これにより、端子部５２を安定して保持することができる。
【００６２】
以上、本発明の実施形態について説明したが、各部の具体的な構成は、上述した実施形態のみに限定されるものではなく、本発明の趣旨を逸脱しない範囲で種々変形が可能である。
【００６３】
例えば、上記実施形態では標記ラベルがどれも同じ色を呈する態様を開示したが、勿論、標記ラベルの色彩も色彩領域に対応したものであってもよい。また上記変形例ではホルダ本体の色彩では無くシールの色彩を色彩領域に対応させたが勿論ホルダ本体の色彩を色彩領域に対応させても良い。さらに、保管庫やホルダ本体、キャップの具体的な態様は上記実施形態のものに限定されることはなく、既存のものを含め、種々の態様のものを適用することができる。
【００６４】
その他、各部の具体的構成についても上記実施形態に限られるものではなく、本発明の趣旨を逸脱しない範囲で種々変形が可能である。
【産業上の利用可能性】
【００６５】
本発明はＵＳＢメモリを保持しておくことができる保管庫を具備するメモリ保管装置として利用することができる。
【符号の説明】
【００６６】
１…保管庫
１ａ…色彩領域
１０…施錠機構
１７…担持部（ハンガー）
２…メモリホルダ
２０…ホルダ本体
２１…キャップ
２２…係留具（ストラップ）
２３…連結リング
２４…係合部
２５…標記部
５…ＵＳＢメモリ
５２…端子部
ＳＮ…シリアル番号
【図１】
0006565593.tif 000002
【図２】
0006565593.tif 000003
【図３】
0006565593.tif 000004
【図４】
0006565593.tif 000005
【図５】
0006565593.tif 000006
【図６】
0006565593.tif 000007
【図７】
0006565593.tif 000008
【図８】
0006565593.tif 000009
【図９】
0006565593.tif 000010
【図１０】
0006565593.tif 000011
【図１１】
0006565593.tif 000012
【図１２】
0006565593.tif 000013
【図１３】
0006565593.tif 000014
【図１４】
0006565593.tif 000015